(57)【要約】【課題】利便性を向上できる脱臭保存庫を提供する。【解決手段】上面に開口部３ａを開口して内容物の収納部４を内部に形成する本体部２と、開口部３ａを開閉する蓋部１０と、蓋部１０上に配される天井部２１と収納部４の周壁の一部から成る設置壁上に配される周壁部２２とを有して収納部４に臨む吸込口２１ａ及び吹出口２２ａを開口する循環ダクト２０と、周壁部２２内に配される送風機２５と、周壁部２２内に配される脱臭装置２６とを備えた。【選択図】図２
2015163543.tif 000002
【特許請求の範囲】
【請求項１】
上面に開口部を開口して内容物の収納部を内部に形成する本体部と、前記開口部を開閉する蓋部と、前記蓋部上に配される天井部と前記収納部の周壁の一部から成る設置壁上に配される周壁部とを有して前記収納部に臨む吸込口及び吹出口を開口する循環ダクトと、前記周壁部内に配される送風機と、前記周壁部内に配される脱臭装置とを備えたことを特徴とする脱臭保存庫。
【請求項２】
前記蓋部が閉じられた際に前記本体部に係合し、前記蓋部と前記本体部との係合を解除した際に前記蓋部を開く方向に付勢する付勢部を設けたことを特徴とする請求項１に記載の脱臭保存庫。
【請求項３】
前記周壁部または前記設置壁近傍の前記天井部に開口する第１通気口と、前記設置壁に対向する周壁近傍の前記天井部に開口する第２通気口とを有し、前記吸込口及び前記吹出口の一方が第１通気口により形成されるとともに、他方が第２通気口により形成されることを特徴とする請求項１または請求項２に記載の脱臭保存庫。
【請求項４】
前記収納部内に前記開口部を介して出し入れされる内ケースを備え、第１通気口が前記周壁部の前記内ケースよりも上方に開口することを特徴とする請求項３に記載の脱臭保存庫。
【請求項５】
前記周壁部上を除く前記収納部の周壁に配した冷媒管により形成して前記収納部内を冷却する冷却器を備えたことを特徴とする請求項１〜請求項４のいずれかに記載の脱臭保存庫。
【発明の詳細な説明】
【技術分野】
【０００１】
本発明は、内容物を脱臭して保存する脱臭保存庫に関する。
【背景技術】
【０００２】
生ゴミや衛生ゴミなどは自治体や業者等による回収日まで各家庭に貯めておかれる。このため、特に夏場などはゴミの臭いが発生し、家庭内に不快な臭気をもたらすという問題がある。
【０００３】
特許文献１には脱臭装置を備えた脱臭保存庫が開示される。この脱臭保存庫は生ゴミ等廃棄物を収容する容器の上面を蓋部により開閉し、蓋部の下面中央部に有底筒状のダクト部が設けられる。ダクト部は周面及び下面にそれぞれ吸込口及び吹出口を開口し、内部に光触媒型の脱臭剤及び送風機が配される。
【０００４】
送風機の駆動によって容器内の臭気成分を含む空気が吸込口を介してダクト部に流入し、脱臭剤を通過して吹出口から下方に送出される。これにより、廃棄物から発生する臭いを脱臭剤により脱臭することができる。
【先行技術文献】
【特許文献】
【０００５】
【特許文献１】特開２００４−２０３５００号公報（第３頁−第９頁、第１図）
【発明の概要】
【発明が解決しようとする課題】
【０００６】
しかしながら、上記従来の脱臭保存庫によると、光触媒型等の脱臭剤及び送風機が蓋部に設けられるため蓋部の重量が大きくなり、脱臭保存庫の利便性が悪い問題があった。また、可動部である蓋部に脱臭剤及び送風機が設けられているため、脱臭剤及び送風機の耐久性が低い問題があった。
【０００７】
本発明は、利便性及び耐久性を向上できる脱臭保存庫を提供することを目的とする。
【課題を解決するための手段】
【０００８】
上記目的を達成するために本発明は、上面に開口部を開口して内容物の収納部を内部に形成する本体部と、前記開口部を開閉する蓋部と、前記蓋部上に配される天井部と前記収納部の周壁の一部から成る設置壁上に配される周壁部とを有して前記収納部に臨む吸込口及び吹出口を開口する循環ダクトと、前記周壁部内に配される送風機と、前記周壁部内に配される脱臭装置とを備えたことを特徴としている。
【０００９】
この構成によると、蓋部を開いて収納部内に内容物が投入され、蓋部が閉じられる。送風機の駆動によって内容物の臭気成分を含む収納部内の空気は吸込口を介して循環ダクトに流入し、脱臭装置により脱臭して吹出口から送出される。
【００１０】
また本発明は、上記構成の脱臭保存庫において、前記蓋部が閉じられた際に前記本体部に係合し、前記蓋部と前記本体部との係合を解除した際に前記蓋部を開く方向に付勢する付勢部を設けたことを特徴としている。
【００１１】
また本発明は、上記構成の脱臭保存庫において、前記周壁部または前記設置壁近傍の前記天井部に開口する第１通気口と、前記設置壁に対向する周壁近傍の前記天井部に開口する第２通気口とを有し、前記吸込口及び前記吹出口の一方が第１通気口により形成されるとともに、他方が第２通気口により形成されることを特徴としている。
【００１２】
また本発明は、上記構成の脱臭保存庫において、前記収納部内に前記開口部を介して出し入れされる内ケースを備え、第１通気口が前記周壁部の前記内ケースよりも上方に開口することを特徴としている。
【００１３】
また本発明は、上記構成の脱臭保存庫において、前記蓋部が前記本体部の後端に枢支されるとともに前記周壁部が前記収納部の背壁に設けられ、前記本体部の上面を前方が下がる傾斜面に形成したことを特徴としている。
【００１４】
また本発明は、上記構成の脱臭保存庫において、前記周壁部上を除く前記収納部の周壁に配した冷媒管により形成して前記収納部内を冷却する冷却器を備えたことを特徴としている。
【００１５】
また本発明は、上記構成の脱臭保存庫において、前記冷却器により前記収納部内を冷蔵温度に冷却することを特徴としている。
【００１６】
また本発明は、上記構成の脱臭保存庫において、前記脱臭装置が前記循環ダクト内にイオン及びオゾンを放出するイオン発生装置を有することを特徴としている。
【発明の効果】
【００１７】
本発明によると、循環ダクトが蓋部に配される天井部と本体部内の収納部の周壁に配される周壁部とを有し、送風機及び脱臭装置が周壁部内に配される。これにより、蓋部が軽量化され、蓋部の開成時または閉止時の使用者の負担を軽減することができる。従って、脱臭保存庫の利便性を向上することができる。また、送風機及び脱臭装置が可動部ではない本体部に備えられているため、蓋の開閉時に送風機及び脱臭装置にかかる衝撃を大幅に減少できる。従って、脱臭保存庫の耐久性を向上することができる。
【図面の簡単な説明】
【００１８】
【図１】本発明の第１実施形態の脱臭保存庫を示す斜視図
【図２】本発明の第１実施形態の脱臭保存庫を示す側面断面図
【図３】本発明の第１実施形態の脱臭保存庫の蓋部を示す斜視図
【図４】本発明の第１実施形態の脱臭保存庫の本体部を示す斜視図
【図５】本発明の第１実施形態の脱臭保存庫の循環ダクトを示す斜視図
【図６】本発明の第１実施形態の脱臭保存庫の循環ダクトの背壁部を示す斜視図
【図７】本発明の第１実施形態の脱臭保存庫の上部の吹出口上を通る側面断面図
【図８】本発明の第１実施形態の脱臭保存庫の上部の連通口上を通る側面断面図
【図９】本発明の第２実施形態の脱臭保存庫の循環ダクトを示す斜視図
【図１０】本発明の第２実施形態の脱臭保存庫の循環ダクトの背壁部を示す斜視図
【図１１】本発明の第２実施形態の脱臭保存庫の上部の吹出口上を通る側面断面図
【発明を実施するための形態】
【００１９】
＜第１実施形態＞
以下に図面を参照して本発明の実施形態を説明する。図１は第１実施形態の脱臭保存庫の斜視図を示している。脱臭保存庫１は床面に設置される本体部２と本体部２の上面を覆う蓋部１０とを備えている。本体部２は外装を形成する外箱３を有し、外箱３の底面にはキャスター１７、１８（図２参照）が設けられる。外箱３の前面上部にはハンドル１６が設けられ、ハンドル１６を把持して脱臭保存庫１を床面上で移動させることができる。
【００２０】
蓋部１０は外箱３の後端で枢支され、外箱３の上面の開口部３ａ（図２参照）を開閉する。蓋部１０の上面前部には蓋部１０を開く開ボタン１１が設けられる。
【００２１】
図２は脱臭保存庫１の側面断面図を示している。また、図３は蓋部１０を下方から見た斜視図を示し、図４は本体部２を上方から見た斜視図を示している。外箱３は水平断面形状が略矩形に形成され、前方が下がる傾斜面から成る上面に開口部３ａを開口する。外箱３の底部には機械室５が設けられ、機械室５の上方に仕切壁９を介して収納部４が設けられる。仕切壁９を含む収納部４の壁面は発泡ウレタン等の断熱材を充填して形成される。
【００２２】
外箱３の後端にはヒンジ部１２によって蓋部１０が枢支される。ヒンジ部１２には蓋部１０を開く方向に付勢する捻りバネから成る付勢部１３が設けられる。蓋部１０には前部の下面に係止爪３１が突出し、外箱３の上面前部には係止爪３１が係合する孔部３２が設けられる。係止爪３１が孔部３２に係合して蓋部１０が閉じられ、開ボタン１１の押下により係止爪３１と孔部３２との係合を解除して蓋部１０が開かれる。外箱３には蓋部１０が開いた際に当接して回動範囲を規制するストッパ１４が設けられる。
【００２３】
また、開口部３ａの周囲及び開口部３ａの周囲に対向する蓋部１０には外箱３と蓋部１０との隙間を塞ぐ環状のパッキンが設けられている。これにより、外箱３と蓋部１０との隙間からの臭気成分の流出を防止することができる。
【００２４】
外箱３の底面に配されるキャスター１７、１８は機械室５の底板５ｃに取り付けられる。前方の一対のキャスター１７は鉛直な回転軸及び水平な回転軸を有し、底板５ｃの取付面５ａ上に取り付けられる。後方の一対のキャスター１８は水平な回転軸を有し、取付面５ａに対して下方に配される凹部５ｂに取り付けられる。
【００２５】
凹部５ｂ内には冷凍サイクルを運転する圧縮機７が支持板７ａを介して取り付けられる。これにより、後述する内ケース６を配した収納部４の下方に圧縮機７が配置される。従って、脱臭保存庫１の設置スペースを小さくし、居室内に脱臭保存庫１を設置することができる。
【００２６】
また、キャスター１７の取付面５ａ対して下方に配される凹部５ｂに圧縮機７が設置されるため、機械室５の高さを低くすることができる。これにより、内容積の大きい収納部４を形成するとともに、外箱３の開口部３ａを低い位置に設けることができる。
【００２７】
圧縮機７には冷媒管から成る冷却器８が接続される。冷却器８は蛇行により収納部４の前壁及び両側壁内に配される。圧縮機７により冷凍サイクルが運転されると、冷却器８によって収納部４内が冷蔵温度（０℃〜１０℃）に冷却される（本実施形態では３℃）。収納部４内を氷点よりも高温の冷蔵温度に冷却することにより、結露水の凍結による蓋部１０や後述する内ケース６の固着を防止することができる。
【００２８】
仕切壁９内には収納部４と外箱３の外部とを連通させるドレンパイプ３３が設けられる。収納部４の冷却により収納部４内に発生する結露水はドレンパイプ３３を介して排水される。尚、機械室５内に結露水の受け皿を設け、ドレンパイプ３３により収納部４と受け皿上とを連通させてもよい。また、ドレンパイプ３３を有さない構成とすることもできる。
【００２９】
収納部４内には上面を開口して廃棄物が投入される内ケース６が配される。内ケース６は水平断面形状が略矩形に形成され、開口部３ａを介して出し入れされる。内ケース６には出し入れする際に把持される把手（不図示）が設けられる。内ケース６内に廃棄物が投入されるゴミ袋を設け、開口部３ａを介してゴミ袋を出し入れてもよい。
【００３０】
収納部４及び蓋部１０には収納部４内の空気を循環させる循環ダクト２０が設けられる。循環ダクト２０は蓋部１０に配される天井部２１と、収納部４の背壁から成る設置壁４ａ上に配される背壁部２２（周壁部）とを有している。背壁部２２上には収納部４内の温度を検知する温度センサ３６が設けられる。温度センサ３６の検知結果に基づいて圧縮機７をオンオフし、収納部４内が所定温度に維持される。
【００３１】
図５は循環ダクト２０を上方から見た斜視図を示し、図６は背壁部２２を後方から見た斜視図を示している。循環ダクト２０の天井部２１の前部には通気口（第２通気口）により形成される吸込口２１ａが開口する。循環ダクト２０の後部には連通口２１ｂが開口する。吸込口２１ａと連通口２１ｂとの間に第１吸気路２１ｃが形成される。連通口２１ｂは前方から見て右方に偏った位置に配される。第１吸気路２１ｃの下壁は蓋部１０の上面に対して平行に形成され、水平に配される。
【００３２】
背壁部２２の前面には左方に偏った位置に通気口（第１通気口）により形成される吹出口２２ａが開口する。背壁部２２の上面には連通口２１ｂに対向する連通口２２ｂが開口する。吹出口２２ａは内ケース６（図２参照）の上端よりも上方に配される。
【００３３】
背壁部２２内には遠心ファンから成る送風機２５が配される。背壁部２２の下部は前方に突出し、送風機２５の前方に面した吸気口に気流を導く。連通口２２ｂと送風機２５の吸気口との間に第２吸気路２２ｃが形成され、送風機２５の排気口と吹出口２２ａとの間に排気路２２ｄが形成される。
【００３４】
排気路２２ｄの側壁上には排気路２２ｄ内にイオンを放出するイオン発生装置２６が配される。イオン発生装置２６は放電電極（不図示）を有し、放電電極に交流波形またはインパルス波形から成る高電圧を印加してコロナ放電させることでイオンやオゾンを発生する。イオン発生装置２６により発生するイオンは脱臭、除菌の効果があるものが好ましく、例えば、マイナスイオンや、プラスイオンとマイナスイオンの対などが好ましい。
【００３５】
イオン発生装置２６と吹出口２２ａとの間には脱臭触媒２７が配される。脱臭触媒２７は二酸化マンガンやゼオライト等の吸着剤をハニカム状の基材に担持して形成され、臭気成分の化学吸着や物理吸着によって循環ダクト２０内の気流を脱臭する。これにより、収納部４内の脱臭効果をより向上することができる。従って、イオン発生装置２６及び脱臭触媒２７は収納部４内を脱臭する脱臭装置を構成する。
【００３６】
イオン発生装置２６を脱臭触媒２７の上流に配置することで、脱臭触媒２７に吸着した臭気成分をイオンが分解し、脱臭触媒２７の性能を長期に亘って維持させることができる。尚、脱臭触媒２７をイオン発生装置２６の上流に配置してもよい。この場合は、吹出口２２ａから収納部４に直接イオンやオゾンを放出することができる。
【００３７】
循環ダクト２０が天井部２１及び背壁部２２を有し、背壁部２２に送風機２５、イオン発生装置２６及び脱臭触媒２７を配置するため、蓋部１０を軽量化することができる。これにより、付勢部１３の付勢力を弱くしても蓋部１０を開くことができ、付勢部１３に抗して蓋部１０を閉じる際の使用者の負担を軽減することができる。
【００３８】
また、送風機２５、イオン発生装置２６及び脱臭触媒２７が可動部である蓋部１０ではなく本体部２に備えられている。このため、蓋部１０の開閉時に送風機２５、イオン発生装置２６及び脱臭触媒２７にかかる衝撃を大幅に減少できる。従って、送風機２５、イオン発生装置２６及び脱臭触媒２７の故障や破損を防止することができる。
【００３９】
図７は脱臭保存庫１の上部の吹出口２２ａを通る側面断面図を示し、図８は脱臭保存庫１の上部の連通口２１ｂ、２２ｂを通る側面断面図を示している。送風機２５（図６参照）の駆動によって後方の吹出口２２ａから収納部４内に気流が送出される（矢印Ｂ２）。収納部４内に送出された気流はイオンを収納部４内に拡散するとともに、蓋部１０と内ケース６との間の空間部３４を通って前方の吸込口２１ａから循環ダクト２０内に流入する（矢印Ａ１）。
【００４０】
これにより、内ケース６の上方の空間部３４にエアカーテンが形成され、外箱３と蓋部１０との隙間からの臭気成分の流出をより確実に防止することができる。また、収納部４内で発生した臭気成分はこのエアカーテンの気流に引っ張られることで収納部４内から吸込口２１ａへと導かれる。これにより、収納部４内に臭気成分が蓄積することを防止できる。この時、本体部２の外箱３の上面を前方が下がる傾斜面に形成するため、エアカーテンの形成領域を確保するとともに開口部３ａの前端の高さを低くすることができる。
【００４１】
上記の脱臭保存庫１の横幅×奥行×高さは例えば、３３０ｍｍ×４４０ｍｍ×６８０ｍｍに形成される。脱臭保存庫１の横幅は３５０ｍｍ以下にすると望ましい。例えば、介護ベッドの長さは約２００ｍｍ〜２２０ｍｍであり、居室の壁面の長さは約２５５０ｍｍ（１．５畳）であることが多い。このため、該壁面に沿って介護ベッドを配置した際に介護ベッドの足下側または枕側のデッドスペースに脱臭保存庫１を設置することができる。
【００４２】
また、内ケース６の横幅×奥行×高さは約２２０ｍｍ×約２８０ｍｍ×約３４０ｍｍに形成される。これにより、内ケース６の内容量が約２０Ｌになっている。ゴミ袋を指定のゴミ袋としている自治体が増えており、２０Ｌサイズや３０Ｌサイズのゴミ袋を指定する自治体が多い。本実施形態の内ケース６の内容量とすることで、２０Ｌサイズのゴミ袋をそのまま内ケース６に装着しても無駄なく使用することができる。また、３０Ｌサイズのゴミ袋を内ケース６に装着した場合には内ケース６の上面の開口部でゴミ袋を折り曲げる折り代を有することができ、ゴミ袋に収納した廃棄物に触れずにゴミ袋を内ケース６から取り出すことが容易となる。
【００４３】
また、内ケース６の内容量を約２０Ｌとした場合は、要介護者が利用する大人用の紙おむつを１人１日当たり４枚として４日分（重量約８ｋｇ）を収容することができる。このため、可燃性ゴミの回収日が一週間当たり２回とすると、回収日まで紙おむつを内ケース６内に保管することができる。
【００４４】
内ケース６の横幅は外箱３の横幅及び外箱３の周壁の厚みによって制限される。内ケース６の奥行を横幅に対して著しく大きくすると内ケース６を持ち運びしにくくなるため、内ケース６の奥行は横幅の１．５倍以下が望ましい。これにより、内ケース６の高さが所望の内容量（本実施形態では２０Ｌ）を確保するように決められる。
【００４５】
また、外箱３の傾斜面から成る上面に開口する開口部３ａの前端の高さは５００ｍｍ〜６００ｍｍに形成される。開口部３ａの前端の高さを５００ｍｍ以上に形成することにより、使用者が屈まずに内ケース６または内ケース６内のゴミ袋を取り出すことができる。また、開口部３ａの前端の高さを６００ｍｍ以下にすることにより、廃棄物の収容により重量の大きい内ケース６やゴミ袋を開口部３ａよりも上方に容易に持ち上げることができる。これにより、腕力の弱い女性や高齢者の使用者でも容易に内ケース６やゴミ袋を取り出して廃棄物を廃棄することができる。
【００４６】
上記構成の脱臭保存庫１において、開ボタン１１の押下により蓋部１０が開き、内ケース６内または内ケース６に配したゴミ袋内に廃棄物を投入して蓋部１０が閉じられる。圧縮機７の駆動によって冷凍サイクルが運転され、収納部４内が冷蔵温度に冷却される。これにより、廃棄物からの臭気成分を含む水分の蒸散が抑制される。
【００４７】
また、送風機２５及びイオン発生装置２６の駆動により収納部４内の空気は矢印Ａ１（図８参照）に示すように吸込口２１ａを介して循環ダクト２０の天井部２１に流入する。天井部２１に流入した空気は第１吸気路２１ｃを流通し、矢印Ａ２（図８参照）に示すように連通口２１ｂ、２２ｂを介して背壁部２２に流入する。背壁部２２に流入した空気は矢印Ａ３、Ａ４、Ａ５（図６参照）に示すように第２吸気路２２ｃを流通し、送風機２５に導かれる。
【００４８】
送風機２５から排気された空気は矢印Ｂ１（図６参照）に示すように排気路２２ｄを流通し、イオン発生装置２６により発生したイオンによって殺菌及び脱臭が行われる。また、排気路２２ｄを流通する空気は脱臭触媒２７を通過し、更に脱臭が行われる。また、イオン発生装置２６により発生したイオンは脱臭触媒２７に吸着した臭気成分を分解する。
【００４９】
脱臭触媒２７を通過した空気は矢印Ｂ２（図７参照）に示すように吹出口２２ａから収納部４内に送出される。吹出口２２ａから送出された空気に含まれるイオンは収納部４内に拡散され、収納部４内の殺菌及び脱臭が行われる。
【００５０】
本実施形態によると、循環ダクト２０が蓋部１０に配される天井部２１と外箱３内の収納部４の背壁に配される背壁部２２（周壁部）とを有し、送風機２５、イオン発生装置２６及び脱臭触媒２７が背壁部２２内に配される。これにより、蓋部１０が軽量化され、蓋部の開成時または閉止時の使用者の負担を軽減することができる。従って、脱臭保存庫１の利便性を向上することができる。
【００５１】
また、送風機２５、イオン発生装置２６及び脱臭触媒２７（脱臭装置）を本体部２に配置することで、蓋部１０の開閉による送風機２５、イオン発生装置２６及び脱臭触媒２７にかかる衝撃を大幅に減少できる。このため、送風機２５、イオン発生装置２６及び脱臭触媒２７の振動による故障を防止して脱臭保存庫１の耐久性を向上することができる。
【００５２】
また、蓋部１０は閉じた際に係止爪３１及び孔部３２によって外箱３に係合し、開ボタン１１により係合を解除した際に蓋部１０が付勢部１３により開く方向に付勢される。このため、蓋部１０の軽量化により付勢部１３の付勢力を弱くすることができ、付勢部１３に抗して蓋部１０を閉じる際の使用者の負担を軽減することができる。従って、脱臭保存庫１の利便性をより向上することができる。
【００５３】
また、吹出口２２ａが背壁部２２に開口し、吸込口２１ａが天井部２１の前部に開口して収納部４の背壁（設置壁４ａ）に対向した前壁近傍に配される。これにより、従来例のように蓋部の中央部に設けたダクト部に吸込口及び吹出口が開口した場合に比して、吸込口２１ａと吹出口２２ａとを離れて配置することができる。このため、収納部４内の広い範囲の臭気成分を含む空気が循環ダクト２０に流入して脱臭され、脱臭保存庫１の脱臭効果を向上することができる。
【００５４】
また、吹出口２１ａが背壁部２１の内ケース６よりも上方に開口して吸込口２１ａが天井部２１の前部に開口する。これにより、内ケース６の上方にエアカーテンを形成して外箱３と蓋部１０との隙間からの臭気成分の流出を防止することができる。
【００５５】
また、蓋部１０を本体部２の外箱３の後端に枢支して背壁部２２を収納部４の背壁に設け、外箱３の上面を前方が下がる傾斜面に形成する。これにより、内ケース６の上方にエアカーテンの形成領域を確保するとともに、開口部３ａの前端の高さを低くすることができる。従って、内ケース６を開口部３ａから容易に取り出すことができる。
【００５６】
また、冷却器８が背壁部２２上を除く収納部４の周壁（前壁、側壁）に配した冷媒管により形成される。これにより、収納部４内の内ケース６を配した内容物の収納領域に隣接して冷媒管から成る冷却器８が配され、収納領域を効率良く冷却することができる。
【００５７】
また、冷却器８により収納部４内が氷点よりも高温の冷蔵温度に冷却されるので、結露水の凍結による蓋部１０や内ケース６の固着を防止することができる。
【００５８】
また、循環ダクト２０内にイオン及びオゾンを放出するイオン発生装置２６により脱臭装置を構成するので、収納部４内の殺菌及び脱臭を容易に行うことができる。
【００５９】
＜第２実施形態＞
次に、図９、図１０は第２実施形態の脱臭保存庫１の循環ダクト２０の斜視図及び背壁部２２の斜視図を示している。説明の便宜上、前述の図１〜図８に示す第１実施形態と同様の部分には同一の符号を付している。本実施形態は第１実施形態に対して吹出口２２ａの配置が異なっている。その他の部分は第１実施形態と同一である。
【００６０】
背壁部２２の上面には前方から見て右方に偏った位置に連通口２２ｂが開口し、左方に偏った位置に吹出口２２ａが開口する。天井部２１の下面には上方に凹む凹部２１ｄが吹出口２２ａに対向して設けられる。
【００６１】
図１１は脱臭保存庫１の上部の吹出口２２ａ上を通る側面断面図を示している。送風機２５の駆動によって吹出口２２ａから上方に送出される空気は矢印Ｂ３に示すように、凹部２１ｄの内面に沿って下方に向かって反転する。そして、イオンを含む空気の一部が内ケース６の内部に供給され、前方の吸込口２１ａから天井部２１に流入する。これにより、内ケース６の上方の空間部３４にエアカーテンを形成するとともに、イオンにより内ケース６の内部の殺菌及び脱臭を行うことができる。従って、第１実施形態と同様の効果を得ることができる。
【００６２】
＜第３実施形態＞
次に、第３実施形態について説明する。本実施形態は前述の図１〜図８に示す第１実施形態と同様に構成され、フィンチューブ型の冷却器８が循環ダクト２０の背壁部２２内に設けられる。その他の部分は第１実施形態と同様である。
【００６３】
送風機２５が駆動されると背壁部２２内の冷却器８と熱交換した冷気が収納部４内に送出される。これにより、収納部４内を冷却することができ、第１実施形態と同様の効果を得ることができる。第２実施形態の脱臭保存庫１についても本実施形態と同様の冷却器８を設けてもよい。また、冷却器８を循環ダクト２０内及び収納部４の周壁内の両方に設けてもよい。
【００６４】
＜第４実施形態＞
次に、第４実施形態について説明する。本実施形態の脱臭保存庫１は第１実施形態の付勢部１３（図３参照）を省き、使用者が蓋部１０を持ち上げて開く構成になっている。その他の部分は第１実施形態と同様である。
【００６５】
この構成によると、循環ダクト２０の背壁部２２に送風機２５及び脱臭装置（イオン発生装置２６、脱臭触媒２７）を配して蓋部１０を軽量化し、蓋部１０を容易に持ち上げることができる。従って、蓋部１０を開く際の使用者の負担を軽減し、脱臭保存庫１の利便性を向上することができる。尚、第２、第３実施形態の脱臭保存庫１の付勢部１３を省いてもよい。
【００６６】
第１〜第４実施形態において、循環ダクト２０の背壁部２２（周壁部）の設置壁４ａが収納部４の周壁の一部である背壁により形成されるが、収納部４の他の周壁により設置壁４ａを形成してもよい。
【００６７】
また、吹出口２２ａが背壁部２２に開口するが、収納部４の背壁（背壁部２２の設置壁４ａ）近傍の天井部２１に開口してもよい。また、背壁部２２または収納部４の背壁近傍の天井部２１に設けた通気口（第１通気口）により吸込口２１ａを形成し、収納部４の背壁に対向した前壁近傍の天井部２１に設けた通気口（第２通気口）により吹出口２２ａを形成してもよい。
【００６８】
また、収納部４内に生ゴミや衛生ゴミを収納しているが、冷却および除菌によって長期保存が可能となる物品等の内容物を収納してもよい。
【産業上の利用可能性】
【００６９】
本発明によると、臭いを発生する内容物を収容する脱臭保存庫に利用することができる。一例として、紙おむつを利用する要介護者が居住する自宅や施設の居室内に設置される脱臭保存庫に利用することができる。
【符号の説明】
【００７０】
１    脱臭保存庫
２    本体部
３    外箱
４    収納部
５    機械室
６    内ケース
７    圧縮機
８    冷却器
９    仕切壁
１０    蓋部
１１    開ボタン
１２    ヒンジ部
１３    付勢部
１４    ストッパ
１５    表示パネル
１６    ハンドル
１７、１８  キャスター
１９    凹部
２０    循環ダクト
２１    天井部
２１ａ  吸込口
２１ｂ、２２ｂ  連通口
２１ｃ  第１吸気路
２１ｄ  凹部
２２    背壁部（周壁部）
２２ａ  吹出口
２２ｃ  第２吸気路
２２ｄ  排気路
２５    送風機
２６    イオン発生装置
２７    脱臭触媒
３４    空間部
３６    温度センサ
【図１】
2015163543.tif 000003
【図２】
2015163543.tif 000004
【図３】
2015163543.tif 000005
【図４】
2015163543.tif 000006
【図５】
2015163543.tif 000007
【図６】
2015163543.tif 000008
【図７】
2015163543.tif 000009
【図８】
2015163543.tif 000010
【図９】
2015163543.tif 000011
【図１０】
2015163543.tif 000012
【図１１】
2015163543.tif 000013